【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
取り外し可能なインクカートリッジからサブタンクへインクを供給し、印刷を行う画像形成装置において、前記インクカートリッジの脱着を検出するカートリッジ脱着検出手段と、前記カートリッジ脱着検出手段で前記インクカートリッジが脱落したことを検出した場合、装置の機器状態を不揮発メモリに記憶する機器状態登録手段と、前記カートリッジ脱着検出手段で前記インクカートリッジが装着されたことを検出した場合、前記機器状態登録手段で記憶した機器状態によって、インクカートリッジ交換時のインク供給を行うか否かを判断するインク供給動作判定手段を備えることを特徴とする画像形成装置。
【請求項２】
請求項１に記載の画像形成装置において、前記インク供給動作判定手段は、前記インクカートリッジが脱落したときの機器状態がインク供給機構の異常状態である場合には、インク供給を行わないと判断することを特徴とする画像形成装置。
【請求項３】
請求項１に記載の画像形成装置において、前記インク供給動作判定手段は、前記インクカートリッジが脱落したときの機器状態がインク供給機構以外の異常状態である場合には、インク供給を行うと判断することを特徴とする画像形成装置。
【請求項４】
請求項１に記載の画像形成装置において、前記インク供給動作判定手段は、前記インクカートリッジが脱落したときの機器状態がＪＡＭ状態である場合には、インク供給を行うと判断することを特徴とする画像形成装置。
【請求項５】
請求項１に記載の画像形成装置において、前記インク供給動作判定手段は、前記インクカートリッジが脱落したときの機器状態がインク供給中である場合には、インク供給を行うと判断することを特徴とする画像形成装置。
【請求項６】
請求項１に記載の画像形成装置において、前記インク供給動作判定手段は、前記インクカートリッジが脱落したときの機器状態が正常状態である場合には、インク供給を行わないと判断することを特徴とする画像形成装置。
【請求項７】
請求項１に記載の画像形成装置において、前記インク供給動作判定手段は、前記インクカートリッジが脱落したときの機器状態がインクエンド状態またはインクエンプティ状態である場合には、インク供給を行うと判断することを特徴とする画像形成装置。
【請求項８】
請求項１に記載の画像形成装置において、前記インク供給動作判定手段は、前記インクカートリッジが脱落したときの機器状態がクリーニング中である場合には、インク供給を行って、クリーニングを実行すると判断することを特徴とする画像形成装置。
【請求項９】
コンピュータを、請求項１乃至８のいずれかに記載の画像形成装置の各手段として機能させるためのプログラム。
【請求項１０】
請求項９に記載のプログラムを記録したコンピュータ読み取り可能な記録媒体。
【請求項１１】
画像形成装置と外部端末を通信網で接続したプリンティングシステムにおいて、前記画像形成装置は、前記外部端末から通信網を介して、請求項１０に記載の記録媒体に記録したプログラムを受け取り、該プログラムを実行させることによって、請求項１乃至８のいずれかに記載の画像形成装置の各手段として機能させることを特徴とするプリンティングシステム。
【手続補正２】
【補正対象書類名】明細書
【補正対象項目名】発明の名称
【補正方法】変更
【補正の内容】
【発明の名称】画像形成装置、プログラムおよび記録媒体並びにプリンティングシステム
【手続補正３】
【補正対象書類名】明細書
【補正対象項目名】０００１
【補正方法】変更
【補正の内容】
【０００１】
本発明は、画像形成装置、プログラムおよび記録媒体並びにプリンティングシステムに関し、具体的には、取り外し可能なインクカートリッジからサブタンクに供給する画像形成装置において、インクカートリッジの装着が検出されたときの処置に関する。
【手続補正４】
【補正対象書類名】明細書
【補正対象項目名】０００８
【補正方法】変更
【補正の内容】
【０００８】
本発明は、上述の実情を考慮してなされたものであって、装置が正常状態、故障状態、異常状態や準備動作中等の機器状態のときに、ユーザがカートリッジ脱着操作を行った場合に、機器状態に適したインク供給動作を実現して、装置の安全性およびユーザの利便性を確保する画像形成装置、プログラムおよび記録媒体並びにプリンティングシステムを提供することを目的とする。
【手続補正５】
【補正対象書類名】明細書
【補正対象項目名】０００９
【補正方法】変更
【補正の内容】
【０００９】
上記課題を解決するために、請求項１の発明は、取り外し可能なインクカートリッジからサブタンクへインクを供給し、印刷を行う画像形成装置において、前記インクカートリッジの脱着を検出するカートリッジ脱着検出手段と、前記カートリッジ脱着検出手段で前記インクカートリッジが脱落したことを検出した場合、装置の機器状態を不揮発メモリに記憶する機器状態登録手段と、前記カートリッジ脱着検出手段でインクカートリッジが装着されたことを検出した場合、前記機器状態登録手段で記憶した機器状態によって、インクカートリッジ交換時のインク供給を行うか否かを判断するインク供給動作判定手段を備えることを特徴とする。
【手続補正６】
【補正対象書類名】明細書
【補正対象項目名】００１０
【補正方法】変更
【補正の内容】
【００１０】
請求項２の発明は、請求項１に記載の画像形成装置において、前記インク供給動作判定手段は、前記インクカートリッジが脱落したときの機器状態がインク供給機構の異常状態である場合には、インク供給を行わないと判断することを特徴とする。
【手続補正７】
【補正対象書類名】明細書
【補正対象項目名】００１１
【補正方法】変更
【補正の内容】
【００１１】
請求項３の発明は、請求項１に記載の画像形成装置において、前記インク供給動作判定手段は、前記インクカートリッジが脱落したときの機器状態がインク供給機構以外の異常状態である場合には、インク供給を行うと判断することを特徴とする。
【手続補正８】
【補正対象書類名】明細書
【補正対象項目名】００１２
【補正方法】変更
【補正の内容】
【００１２】
請求項４の発明は、請求項１に記載の画像形成装置において、前記インク供給動作判定手段は、前記インクカートリッジが脱落したときの機器状態がＪＡＭ状態である場合には、インク供給を行うと判断することを特徴とする。
【手続補正９】
【補正対象書類名】明細書
【補正対象項目名】００１３
【補正方法】変更
【補正の内容】
【００１３】
請求項５の発明は、請求項１に記載の画像形成装置において、前記インク供給動作判定手段は、前記インクカートリッジが脱落したときの機器状態がインク供給中である場合には、インク供給を行うと判断することを特徴とする。
【手続補正１０】
【補正対象書類名】明細書
【補正対象項目名】００１４
【補正方法】変更
【補正の内容】
【００１４】
請求項６の発明は、請求項１に記載の画像形成装置において、前記インク供給動作判定手段は、前記インクカートリッジが脱落したときの機器状態が正常状態である場合には、インク供給を行わないと判断することを特徴とする。
【手続補正１１】
【補正対象書類名】明細書
【補正対象項目名】００１５
【補正方法】変更
【補正の内容】
【００１５】
請求項７の発明は、請求項１に記載の画像形成装置において、前記インク供給動作判定手段は、前記インクカートリッジが脱落したときの機器状態がインクエンド状態またはインクエンプティ状態である場合には、インク供給を行うと判断することを特徴とする。
【手続補正１２】
【補正対象書類名】明細書
【補正対象項目名】００１６
【補正方法】変更
【補正の内容】
【００１６】
請求項８の発明は、請求項１に記載の画像形成装置において、前記インク供給動作判定手段は、前記インクカートリッジが脱落したときの機器状態がクリーニング中である場合には、インク供給を行って、クリーニングを実行すると判断することを特徴とする。
【手続補正１３】
【補正対象書類名】明細書
【補正対象項目名】００１７
【補正方法】変更
【補正の内容】
【００１７】
請求項９の発明は、コンピュータを、請求項１乃至８のいずれかに記載の画像形成装置の各手段として機能させるためのプログラムである。
請求項１０の発明は、請求項９に記載のプログラムを記録したコンピュータ読み取り可能な記録媒体である。
請求項１１の発明は、画像形成装置と外部端末を通信網で接続したプリンティングシステムにおいて、前記画像形成装置は、前記外部端末から通信網を介して、請求項１０に記載の記録媒体に記録したプログラムを受け取り、該プログラムを実行させることによって、請求項１乃至８のいずれかに記載の画像形成装置の各手段として機能させることを特徴とするプリンティングシステムである。
【手続補正１４】
【補正対象書類名】明細書
【補正対象項目名】００１９
【補正方法】変更
【補正の内容】
【００１９】
例えば、インクカートリッジを外したときの機器状態が、ＪＡＭ、インク供給中、インクエンド状態、インクエンプティ状態、クリーニング中等であった場合、交換時にインク供給を行い、また、正常状態やインク供給に関する異常状態の場合には、交換時にはインク供給を行わないようにすることによって、その機器状態に合った適切な動作を実行することができる。